(57)【特許請求の範囲】
【請求項１】
２以上のリ−ル軸を備えた繰り出し回転ア−ム方式のワイヤ巻出し装置であって、リ−ル軸を支持する支持台の回転を固定する止め具と、２つのリ−ルに巻かれたワイヤ端部を貯線する貯線治具と、前記止め具の固定を解除する解除治具を有し、繰り出し回転ア−ムの側のリ−ル軸がその反対側のリ−ル軸に対して下がるようにリ−ル軸支持台の架台を設置したワイヤ巻出し自動切り替え装置において、
前記貯線治具は、支持台上に固定して設置されるリング支持部と、リング支持部につながり、リール軸に対して水平に固定配置される貯線リングとからなり、
リール切り替え時に支持台が回転し、それに伴って支持台に固定されたリング支持部及び貯線リングが回転することを特徴とするワイヤの巻出し自動切り替え装置。
【請求項２】
貯線リングの外周上にはワイヤを係止するためのピンが備えられ、前記ピンはワイヤの係止及び繰り出しのための係止の解除を水平方向に移動できるようにピンが配置された請求項第１項記載のワイヤの巻出し自動切り替え装置。
【請求項３】
貯線リングの大きさがその貯線リング外周の長さ未満の長さのワイヤでもって、切り替えが開始して終了するまでの時間にワイヤを繰り出すことができる請求項第１項記載のワイヤの巻出し自動切り替え装置。
【請求項４】
貯線リングの外周上にはワイヤを係止するためのピンが備えられ、前記ピンはワイヤの係止及び繰り出しのための係止の解除を垂直方向に移動できるようにピンが配置された請求項第１項記載のワイヤの巻出し自動切り替え装置。
【請求項５】
貯線リングが直径が異なるリングを複数本積み重ねてなる請求項第１項記載のワイヤの巻出し自動切り替え装置。
【請求項６】
支持台の固定の止め具の解除装置が、支持具と検出用梁と落下用梁と落下治具とよりなり、支持具はリング支持部に固定され、支持具に検出用梁及び落下用梁の夫々を天秤状に支持され、検出用梁はその一端が検出端で他端は落下用梁を係止し、落下用梁は一端が落下治具を懸架し、検出用梁によって係止される構造とした請求項第１項記載のワイヤ巻出し自動切り替え装置。
【請求項７】
支持台より伸びる回転軸に対し、両側に張り出すリ−ル軸を備え、各リ−ル軸に夫々ワイヤが巻かれたリ−ルＡ、Ｂを装着し、初めにワイヤが巻き出されるリ−ルＡにおけるワイヤの巻初め部と、リ−ルＢにおける巻き終わり部のワイヤとを接合し、支持台上に固定して設置されるリング支持部と、リング支持部につながる水平に固定配置される貯線リングとからなる貯線治具に、前記接合した一定長さのワイヤをリ−ルＡから出発して当該リングに巻き付け、かかる巻き付け方向がリ−ル切り替え時に支持台が回転する方向と反対の方向に巻き付けて貯線をし、初めのリ−ルＡにおけるワイヤの巻き出し終了を検知するセンサ−を備え、このセンサ−の作動により回転軸の係止を解除し、回転軸を回転して前記リ−ルＡの位置にリ−ルＢを移動してこの回転軸を再度係止し、回転ア−ムより連続してワイヤを巻き出すリ−ルの自動切り替え方法。
【発明の詳細な説明】
【０００１】
【発明の属する技術分野】
この発明は、ワイヤに熱処理或いは伸線加工等の処理を施す場合のリ−ルからの連続及び自動巻出しに関するものであリ、更に言えば、リ−ルに巻かれたワイヤを連続的に処理する場合の、一つのリ−ルから他のリ−ルに自動的に切り替える方法及びその自動切り替え装置に係るものである。
【０００２】
【従来の技術】
スチ−ルコ−ド等の線材では、製品として線材に必要な特性を付加するために、熱処理、めっき処理又は伸線加工等の処理を施すが、通常、上記の処理はリ−ルに巻かれたワイヤを巻出しから繰り出して処理を施し、これを再度巻き取る方法で連続して行われる。
【０００３】
しかるに、繰り出し回転ア−ムを用いワイヤに施す処理を中断することなく一つのリ−ルから他のリ−ルに連続的に切り替える方法として、図６に示す巻き出し装置が知られている。これは一つの繰り出し回転ア−ム３４に対して、二つのリ−ル軸３１1 、３１2 を有する巻き出し方法であって、この二つのリ−ル軸３１1 、３１2 は水平面で回転可能であり、繰り出し回転ア−ムの位置にいずれのリ−ルも回転移動できるようになしたものである。そして連続的に切り替える方法は、予め二つのリ−ル３１1 、３１2 のワイヤ３２1 、３２2 を、初めのリ−ル３３1 の巻き始めワイヤ３２1 と次のリ−ル３３2 の巻き終りワイヤ３２2 とを溶接接合し、最初のワイヤ３２1 の処理が終了する時に次のリ−ル３３2 が繰り出し回転ア−ム３４に対して所定の位置になるようにリ−ル軸３１1 、３１2 の回転移動を行って連続的に処理する方法である。
【０００４】
しかしながら、この連続処理を行いながら２つのリ−ル３３1 、３３2 を切り替える方法は、従来は作業者による観察で切り替え時期を判断し、切り替え作業も又作業者の人力によるものであり大きな作業負荷になっていた。
【０００５】
このような課題を解決するため、発明者等は既に繰り出し回転ア−ムを有する巻き出し方法及びその装置を提供している。即ち、二つのリ−ルを自動的に切り替える方法及び装置を提案したものであって（特開平６−１８３６４２号）、図７及び図８にてその概要を示す。この提案は、繰り出し回転ア−ム方式のワイヤ巻き出しにおいて、支持台３より伸びる回転軸に対し、両側に張り出すリ−ル軸１、２を備え、各リ−ル軸１、２に夫々ワイヤが巻かれたリ−ルＡ、Ｂを装着し、初めにワイヤが巻き出されるリ−ルＡにおけるワイヤの巻き始め部と、リ−ルＢにおける巻き終り部のワイヤとを一定長さ貯線をして接合し、初めのリ−ルＡにおけるワイヤの巻き出し終了を検知するセンサ−を備え、このセンサ−の作動により回転軸の係止を解除し、回転軸を回転して前記リ−ルＡの位置にリ−ルＢを移動してこの回転軸を再度係止し、回転ア−ムより連続してワイヤを巻き出す自動切り替えにかかるものである。
【０００６】
そして前記回転軸は鉛直方向に対しリ−ルＡ側にやや傾いて設置し、リ−ルＡとリ−ルＢの重量差で自然回転させるものであり、更に、リ−ル軸１、２を支持する支持台３の回転を固定する止め具５と、二つのリ−ルＡ、Ｂに巻かれたワイヤ端部を貯線する貯線治具４と、前記止め具５の固定を解除する解除治具６を備え、繰り出し回転ア−ム側のリ−ル軸１がその反対側のリ−ル軸２に対して下がるようにリ−ル軸支持台３の架台３2 を水平面に対して傾斜して設置したワイヤ２０の巻き出し自動切り替え装置である。かかる貯線治具４は回転軸上方の横梁（リング支持部）４1 に釣り下げられた貯線リング４2 を主体とし、貯線リング４2 にはワイヤ２０を係止するためのピン４3 が設けられるもので、ワイヤ２０を貯線リング４2 の外周に巻き付けることで貯線し、リ−ルの切り替え時に貯線リング４2 からワイヤ２０を引き出すことができるものである。
【０００７】
しかるに、この提案の巻き出し装置の貯線治具４は回転軸上方から横梁４1 に吊り下げられ固定されているため、貯線治具４からワイヤ２０を繰り出す時にワイヤ２０は貯線リング４2 外周上を移動回転しながら繰り出されることになる。即ち、貯線リング４2 外周に貯線されたワイヤ２０が、係止ピン４3 をはずれて順次繰り出される場合、一つのピン４3 で拘束が解除されて次のピン４3 で拘束されるように次々に拘束と解除が繰り返され、ワイヤ２０は拘束力が絶えず変化しながら貯線リング４2 から繰り出される動きをすることになり、このため、ワイヤ２０は貯線リング４2 から繰り出し時に振動ブレを起こすことがある。
【０００８】
そして、貯線リング４2 からワイヤ２０を繰り出す時に振動ブレを起こす他の要因として、ワイヤ２０に加わる捩れがある。即ち、二つのリ−ルＡ、Ｂのワイヤ２０を溶接して捩れの入っていないワイヤ２０を貯線リング４2 に巻き付ける時にワイヤ２０に捩れが生成する。又、捩れが入らないように一つのリ−ルの解放端をリ−ルに巻き付けその後に溶接した場合には、ワイヤ２０を貯線リング４2 から繰り出す時に捩れが生成する。このように、いずれの場合にも貯線リング４2 から繰り出す時には捩れの変化を生じ、その捩れの変化は貯線リング４2 上のピン４3 によるワイヤの拘束開放によって断続的に発生するため振動ブレを起こすことになる。
【０００９】
特にワイヤ２０の線径が大きく（例えば２ｍｍ以上）なると弾発性や反発性が高くなり、かかる弾発性や反発性の高いワイヤ２０を前記貯線リング４2 から繰り出す時に発生する振動ブレは大きくなり、又、弾発的に変化する捩れ力も大きくなるために振動ブレの力は大きくなり、このため、貯線リング４2 上でのピン４3 による係止が振動ブレによって解除されるため、貯線リング４2 外周上の貯線が外れ、ワイヤ２０がもつれて繰り出すことができなくなるというケ−スもある。
【００１０】
更に、既提案の巻き出し装置の貯線治具４は、二つのリ−ルＡ、Ｂ間の中間に貯線リング４2 が垂直に配置されているために、リ−ルＡに巻かれたワイヤ２０を貯線リング４2 に貯線する時、ワイヤ２０はリ−ルＡに巻き付けられた方向から、貯線リング４2 に向かう方向に方向を変え、貯線リング４2 に接近したら貯線リング４2 外周に巻き付ける方向に再度向きを変えるため、線径の太いワイヤ２０を貯線リング４2 に貯線するために大きな力でワイヤ２０を曲げなければならず、ワイヤ２０を適正に係止貯線することが難しい場合も考えられる。
【００１１】
【発明が解決しようとする課題】
本発明が解決しようとする課題は、２つのリ−ル軸を支持する支持台の回転を固定する止め具と、２つのリ−ルに巻かれたワイヤ端部を貯線する貯線治具と、前記止め具の固定を解除する解除治具を有し、繰り出し回転ア−ムの側のリ−ル軸がその反対側のリ−ル軸に対して下がるようにリ−ル軸支持台の架台を水平面に対して傾斜して設置したワイヤの巻出し自動切り替え装置において、ワイヤの線径が太い等の要因で高い弾発性と曲げ加工が困難なワイヤをリ−ルから巻き出し２つのリ−ルを自動的に切り替える際に、ワイヤを簡便正常に貯線治具に係止貯線し、ワイヤが貯線治具から外れることなく、切り替え時に正常に順次ピンからワイヤが繰り出すことができる貯線治具を有する連続してワイヤを巻き出す自動切り替え装置及びその方法を提供することである。
【００１２】
【課題を解決するための手段】
以上のような目的を達成するために本発明は以下のような構成としたものである。即ち、発明の第１は、２以上のリ−ル軸を備えた繰り出し回転ア−ム方式のワイヤ巻出し装置であって、リ−ル軸を支持する支持台の回転を固定する止め具と、２つのリ−ルに巻かれたワイヤ端部を貯線する貯線治具と、前記止め具の固定を解除する解除治具を有し、繰り出し回転ア−ムの側のリ−ル軸がその反対側のリ−ル軸に対して下がるようにリ−ル軸支持台の架台を設置したワイヤ巻出し自動切り替え装置において、前記貯線治具は、支持台上に固定して設置されるリング支持部と、リング支持部につながり、リール軸に対して水平に固定配置される貯線リングとからなり、リール切り替え時に支持台が回転し、それに伴って支持台に固定されたリング支持部及び貯線リングが回転することを特徴とするワイヤの巻出し自動切り替え装置にかかるものである。
【００１３】
そして、特に貯線リングの大きさは、そのリング外周の長さ未満の長さのワイヤでもって、切り替えが開始して終了するまでの時間にワイヤを繰り出すことができる大きさであり、貯線リング外周上にはワイヤを係止するためのピンが備えられ、ピンの配置は貯線のための係止及び繰り出しのための係止の解除をワイヤを水平方向に或いは垂直方向に移動させて行うことができるようにピンが配置されるものである。
【００１４】
支持台の固定の止め具の解除装置の具体的形態としては、支持具と検出用梁と落下用梁と落下治具とよりなり、当該支持具はリング支持部に固定され、この支持具に検出用梁及び落下用梁の夫々を天秤状に支持するものであって、この検出用梁はその一端が検出端で他端は落下用梁を係止し、一方、落下用梁は一端が落下治具を懸架し、他端が検出用梁によって係止される構造としたものである。
【００１５】
発明の第２は、支持台より伸びる回転軸に対し、両側に張り出すリ−ル軸を備え、各リ−ル軸に夫々ワイヤが巻かれたリ−ルＡ、Ｂを装着し、初めにワイヤが巻き出されるリ−ルＡにおけるワイヤの巻初め部と、リ−ルＢにおける巻き終わり部のワイヤとを接合し、支持台上に固定して設置されるリング支持部と、リング支持部につながる水平に固定配置される貯線リングとからなる貯線治具に、前記接合した一定長さのワイヤをリ−ルＡから出発して当該リングに巻き付け、かかる巻き付け方向がリ−ル切り替え時に支持台が回転する方向と反対の方向に巻き付けて貯線をし、初めのリ−ルＡにおけるワイヤの巻き出し終了を検知するセンサ−を備え、このセンサ−の作動により回転軸の係止を解除し、回転軸を回転して前記リ−ルＡの位置にリ−ルＢを移動してこの回転軸を再度係止し、回転ア−ムより連続してワイヤを巻き出すリ−ルの自動切り替え方法にかかるものである。
【００１６】
【発明の実施の形態】
本発明は以上の通りの構造を有するワイヤの巻出し自動切り替え装置及びその自動切り替え方法であって、初めのリ−ルＡと次のリ−ルＢを夫々リ−ル軸に装着し、リ−ルＡの巻初め端とリ−ルＢの巻き終わり端を溶接する、次に溶接で連続したリ−ルＡ、ＢのワイヤでＡ側のワイヤを止め具の固定を解除する解除治具に係止設定し、次いで貯線リングに外周一周未満分巻き付けて貯線し、リ−ルＢに繋がるように設定する。
【００１７】
ここでワイヤを貯線リングに巻き付けるが、リ−ルＡから出発して貯線リングに巻き付ける方向が切り替え時に支持台が回転する方向と反対の方向に巻き付ける。又、リ−ルＢのリ−ル軸への装着は貯線リングからリ−ルＢに繋がるワイヤが折り返すことなくリ−ルＢに巻かれるようにリ−ルの向きを定めて装着するものである。
【００１８】
本発明のワイヤの巻出し自動切り替え方法の基本的構想は、貯線リングからワイヤを繰り出すときに、ワイヤがリ−ル外周上を移動して繰り出すのではなく、貯線リングが回転してワイヤを繰り出し、繰り出しア−ムの先端と貯線リングからのワイヤ繰り出し位置が所定の範囲を保つようになしたことである。
【００１９】
即ち、リ−ル切り替え時に支持台は回転し、それに伴って支持台に固定されたリング支持部及び貯線リングが回転するもので、リ−ルの切り替え時の貯線リングの回転の角度に対応するリ−ル外周上の長さをワイヤが繰り出される長さにほぼ相当するようにする。従って、この貯線リングからワイヤが繰り出される絶対的な位置はほぼ一定であり、ワイヤが貯線リング外周上を移動することなく、このためにワイヤの振動を抑制することができることとなったものである。
【００２０】
一方、既提案の方法であると貯線リングの中心軸方向から貯線リング外周にワイヤを巻き付け、又はワイヤを貯線リング外周方向から貯線リング中心軸方向にワイヤを繰り出すために基本的に捩れの変化を伴っていたが、本発明の方法では貯線リング外周方向から貯線リング外周に巻き付け、又、貯線リング外周方向から貯線リング外周方向に繰り出すために、貯線リングに貯線したりこの貯線リングから繰り出す処理においてワイヤの捩れの変化が生じないこととなったものである。
【００２１】
更に、既提案の貯線治具は支持台の上空にあるために、繰り出しア−ム先端から貯線リングまでに必要な距離を要してしまい、そのために拘束されないワイヤの長さが長くなり繰り出し時のワイヤの振動を大きくしていたが、本発明においては貯線リングを水平に両リ−ルに跨がるように配置し、ワイヤの繰り出し位置がワイヤ繰り出しア−ムの先端の近傍に位置することになるので、貯線リングからワイヤ繰り出し個所からア−ム先端の距離を短くすることができるのでワイヤの振動を更に低減させることができることとなったものである。
【００２２】
更に又、上述のように貯線リングを配置し、ワイヤの貯線リングへの貯線方法及びリ−ルのリ−ル軸の装着方法を定めたので、リ−ルに巻かれたワイヤはその方向を大きく変えることなく貯線リングに貯線できるので、容易に貯線リングに貯線することができると共に、ワイヤを曲げるために起こるワイヤへの損傷を低減することができることとなった。
【００２３】
ここで、貯線リングの大きさは切り替え初めから切り替え終わりまでに繰り出しア−ムから繰り出されるワイヤの長さと貯線リング外周の半分の長さが正確に対応する必要はなく、切り替え時に貯線リングに貯線されて繰り出すことが実質的にできれば繰り出されるワイヤの長さが貯線リング外周の半分以上であっても半分以下であってもよい。
【００２４】
そして、貯線リングが備えられるリング架台にワイヤを貯線リングに案内する入り側クリップと、貯線されたワイヤを次のリ−ルに案内するための出側クリップを備えてワイヤを貯線する長さを一定の値にすることができる。例えば貯線リング外周の約２／３になるように各クリップをリング架台に配置することで貯線リングに必要な量を貯線することができると共に、リ−ルと貯線リングの間のワイヤ−を大きく屈曲することなくワイヤを配置することができる。
【００２５】
尚、貯線リングに貯線するワイヤの長さを切り替え時に繰り出すワイヤの長さに適正に対応するために、後述する図３の（３）に示すように直径の異なる貯線リングを段積みにしたものを用いることができる。
【００２６】
本発明において貯線リング外周上にワイヤを係止するピンを、貯線のための係止及び繰り出しのための係止の解除をワイヤを水平方向に移動させて行うようにするのがよいが、場合によっては垂直方向に移動させて行うようにピンを配置することも可能である。ここで貯線リングの位置は繰り出しア−ム先端の位置より低い位置に配置してワイヤを上方に繰り出すようにして貯線リングに貯線されたワイヤを繰り出すのがよい。
【００２７】
前者の場合、貯線リングへの貯線のための係止及び繰り出しのための係止の解除をワイヤを水平方向に移動させて行うので、貯線リングに１回を越えて巻き付け貯線した場合には繰り出すことができないため、貯線リング上に貯線することができるワイヤの長さに制限があり、それに対応してワイヤの繰り出し速度も制限がある。一般にワイヤの線径が大きくなるとメッキ等の表面処理に多くの処理を要するために処理速度即ち繰り出し速度は遅いが、線径の細いものは繰り出し速度は速い場合があり、後者との選択は適宜なされることは言うまでもない。
【００２８】
後者の場合には、水平に配置した貯線リングに貯線されたワイヤを上方に繰り出すので貯線リング全周にわたって貯線されたワイヤを繰り出すことができ、貯線量に制限がない。切り替え中には貯線リングは回転するので貯線リング上を周回するワイヤの速度を低減さすこともでき、繰り出し時のワイヤの振動を低減させることもできる。この場合の特徴は、太い線径のものも細い線径のものにも即ち遅い繰り出し速度のワイヤと早い繰り出し速度のワイヤとの両方のワイヤに対して適正に２つのリ−ルを自動的に切り替えることができる点である。
【００２９】
例えば、太い線径で繰り出し速度の遅い場合は、貯線リングに半分程度貯線して、貯線リングと繰り出しア−ムの間を所定の位置にすることでワイヤの振動を低減して繰り出し、一方細い線径で繰り出し速度の速いワイヤは、切り替え時の繰り出しに必要な量を貯線リング全周にわたり、若しくは繰り返し巻き付けることで貯線することができる。
【００３０】
【実施例】
以下、図面を用いて本発明を更に説明する。
図１は第１発明のワイヤ巻出し自動切り替え装置の一例を示す全体斜視図であって、２つのリ−ル軸１、２、支持台３、貯線治具４、回転止め具５、解除装置６とからなる。リ−ル軸１、２は直径が１００ｍｍで長さが５４０ｍｍの棒材で作成され、支持台３を中心に対向した位置に設置されている、リ−ル軸１、２には、巻胴幅が５５０ｍｍで巻胴長さが４１０ｍｍでフランジ直径が１０００ｍｍのリ−ルＡ、Ｂが懸架され、このリ−ルＡ、Ｂには夫々直径が１．５ｍｍから３．０ｍｍのワイヤ２０が１０００ｋｇ巻き付けられている。又、繰り出しア−ム１０の先端１１は、ワイヤ２０を案内してリ−ルＡの外周の軌道を周回するように配置されている。
【００３１】
図２は支持台３を示し、これを構成する支柱部３1 には２つのリ−ル軸１、２が固定され、架台３2 に回転自在に嵌め込まれている。即ち、支柱部３1 と架台部３2 とは、水平方向で回転自在な状態で連結されており、架台部３2 にはその回転を所定の個所で固定するための止め具５が設けられている。かかる止め具５は支柱部３1 に設けられた凹部３3 と架台部３2 に設けられた凸部３4 を噛み合わすことで固定し、固定バネ３5 により固定状態を保ち、又、凸部３4 に連続した解除押し部３6 を押し下げることでこの固定を解除することができる。支持台３は水平面に対し傾斜して設置されている。尚、凹部３3 は支柱部３1 反対側にも備えられている。
【００３２】
図３は貯線治具４を示すが、（イ）で示す貯線治具４は支持台上に固定して設置されるリング支持部４1 と、リング支持部４1 に連続して固定される水平に配置される貯線リング４2 とからなる。貯線リング４2 の直径は６００ｍｍで、その配置は高さがリ−ル軸１、２に装着したリ−ルＡ、Ｂの上空で、繰り出しア−ム１０の到達する最高高さ付近までの高さで、支持台３のほぼ中央になるようにリング支持部４1 で支持される。この貯線リング４2 にはワイヤ２０を係止するピン４3 が間隔２４０ｍｍで設けられ、ワイヤ２０を水平方向に引き出すことができるようにピン４3 の水平方向が解放された構造になっている。
【００３３】
一方、図３の（ロ）で示す貯線リング４2 にはワイヤ２０を係止するピン４3 が間隔２４０ｍｍで設けられ、ワイヤ２０を上方に引き出すことができるようにピン４3 の上方向が解放された構造になっている。この場合、貯線リング４2 の配置は高さがリ−ル軸１、２に装着したリ−ルＡ、Ｂの上空で、繰り出しア−ム１０の到達する最高高さ以下である。
【００３４】
更に、図３の（ハ）は直径の異なる貯線リング４21を段積みにし、貯線治具４に貯線するワイヤの長さをリ−ルの切り替え時に繰り出すワイヤの長さに適正に対応できるように工夫したものである。
【００３５】
さて、貯線リング４2 を設置するリング支持部４1 にワイヤ２０を貯線リング４2 に案内する入側クリップ４4 と、貯線されたワイヤ２０が次のリ−ル（Ｂ）に案内するための出側クリップ４5 は２つのリ−ルＡ、Ｂの上空に配置されるように備えられる。ここで入側クリップ４4 はワイヤ２０を貯線リング４2 に案内誘導させると共に、止め具５の解除装置６のセンサ−を入側クリップ４4 近傍に配置するため、クリップ４4 によって把持つされたワイヤ２０の配置を正確強固なものにするために、図のようにコ字形状４にして２か所でワイヤ２０を係止し、センサ−先端６0 がコの字の中に配置される例を示した。
【００３６】
図４は支持台３の固定の止め具５の解除装置６であり、支持具６1 、検出用梁６2 、落下用梁６3 、落下治具６4 とよりなっている。そして、リング支持部４1 に固定された支持具６1 に検出用梁６2 及び落下用梁６3 の夫々を天秤状に支持する。検出用梁６2 はその一端が入側クリップ４4 まで延びてセンサ−６0 とし、他端は下方に広がる斜めの切り口６21を有する。一方、落下用梁６3 は一端が落下治具６4 を懸架する突起６30を有し、他端は上方に広がる斜めの切り口６31、若しくは梁６3 の上部は上方に広がり（６31）、梁６3 の下部は下方に広がる切り口６32を有する。検出用梁６2 及び落下用梁６3 の夫々の切り口６21、６31は互いに係止することができるように配置されている。
【００３７】
上述の解除装置６で、ワイヤ２０の通過を検出して、固定止め具５を解除する動作は次の通りである。図５の（イ）は切り替え前の解除装置６の状態であり、検出用梁６2 は入側クリップ４4 に伸びる一端が下がるように天秤状に支持され、入側クリップ４4 に挟持されたワイヤ２０の上に梁の端６0 を配置して梁の端６0 が下がるのを止めている。又、落下用梁６3 は一端が落下治具６4 を懸架し、他の切り口端６31は、検出用梁６2 の切り口端６21と接合して、落下治具６4 のある端が下がるのを止めている。落下治具６4 は解除押し部３6 上に持ち上げられた状態で懸架されている。図５の（ロ）は検出用梁６2 をワイヤ２０が通過して梁の端６0 の係止が解除された状態を示している。図５の（ハ）は検出用梁６2 の切り口端６21によって係止されていた落下用梁６3 の係止が解除された状態であり、落下治具６4 が落下する状態を示している。
【００３８】
勿論、この落下治具６4 が解除押し部３6 を下に押し下げるものであって、固定バネ３5 を伸ばし、これによって支柱部３1 に設けられた凹部３3 と架台部３2 に設けられた凸部３4 の噛み合わせを解除するもので、水平面に対して傾斜配置された支持台３が回転し、これに伴ってリ−ルＡ、Ｂが回転して自動的に切り替えられることとなったものである。
【００３９】
尚、解除装置６は例えば既提案にて示した構造の解除装置を用いることもできるが、解除したときの梁の傾きため解除装置６上空に必要な空間を要するが、本発明のように梁を分割して検出用６2 と落下用６3 にすることで、係止を解除するのに必要な空間を小さいものとすることができる。
【００４０】
又、各梁６2 、６3 の切り口端６21、６31は検出用梁６2 が落下用梁６3 を係止することができるものであれば、適正にその形状に定めることができる。
【００４１】
【発明の効果】
以上説明したように、本発明の巻き出し装置では、既提案のような貯線リングを設置するための梁を必要とせず、安価簡便にしかも弾発性、反発性の高いワイヤのリ−ルを安定して自動的に切り替えることができる。
【図面の簡単な説明】
【図１】図１は本発明のワイヤ巻出し自動切り替え装置の斜視図である。
【図２】図２は図１における支持台の拡大図である。
【図３】図３は図１における貯線治具の拡大図である。
【図４】図４は支持台の固定の止め具の解除装置である。
【図５】図５は図４の解除装置の機構図である。
【図６】図６は従来のワイヤ巻き出し装置の斜視図である。
【図７】図７は特開平６−１８３６４２号にて開示した既提案の斜視図である。
【図８】図８は特開平６−１８３６４２号にて開示した貯線治具の拡大図である。
【符号の説明】
Ａ、Ｂ‥‥リ−ル、
１、２‥‥リ−ル軸、
３‥‥支持台、
３1 ‥‥支柱部、
３2 ‥‥架台、
３3 ‥‥凹部、
３4 ‥‥凸部、
３5 ‥‥固定バネ、
３6 ‥‥解除押し部、
４‥‥貯線治具、
４1 ‥‥リング支持部、
４2 、４21‥‥貯線リング、
４3 ‥‥ピン、
４4 ‥‥入側クリップ、
４5 ‥‥出側クリップ、
５‥‥回転止め具、
６‥‥解除装置、
６0 ‥‥センサ−（検出用梁端）、
６1 ‥‥支持具、
６2 ‥‥検出用梁、
６21‥‥検出用梁切り口、
６3 ‥‥落下用梁、
６30‥‥落下治具を懸架する突起、
６31、６32‥‥落下用梁切り口、
６4 ‥‥落下治具、
１０‥‥回転繰り出しア−ム、
２０‥‥ワイヤ。
【図１】
0003957096.tif 000002
【図２】
0003957096.tif 000003
【図３】
0003957096.tif 000004
【図４】
0003957096.tif 000005
【図５】
0003957096.tif 000006
【図６】
0003957096.tif 000007
【図７】
0003957096.tif 000008
【図８】
0003957096.tif 000009